【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
液晶素子を有する画素と、駆動回路とを有し、
前記駆動回路は、第１の容量素子と、第２の容量素子と、第１のトランジスタと、第２のトランジスタと、第３のトランジスタと、第４のトランジスタとを有し、
前記第１の容量素子の第１電極が第３の配線に電気的に接続され、
前記第２の容量素子の第１電極が第４の配線に電気的に接続され、
前記第１のトランジスタのゲートが前記第１の容量素子の第２電極に電気的に接続され、前記第１のトランジスタの第１端子が第２の配線に電気的に接続され、前記第１のトランジスタの第２端子が前記第２の容量素子の第２電極に電気的に接続され、
前記第２のトランジスタのゲートが前記第２の容量素子の第２電極に電気的に接続され、前記第２のトランジスタの第１端子が前記第２の配線に電気的に接続され、前記第２のトランジスタの第２端子が前記第１の容量素子の第２電極に電気的に接続され、
前記第３のトランジスタのゲートが前記第２の容量素子の第２電極に電気的に接続され、前記第３のトランジスタの第１端子が前記第２の配線に電気的に接続され、前記第３のトランジスタの第２端子が第５の配線に電気的に接続され、
前記第４のトランジスタのゲート及び第１端子が第１の配線に電気的に接続され、前記第４のトランジスタの第２端子が前記第５の配線に電気的に接続されていることを特徴とする液晶表示装置。
【請求項２】
請求項１において、
前記第１のトランジスタ乃至前記第４のトランジスタは同じ導電型のトランジスタであることを特徴とする液晶表示装置。
【請求項３】
請求項１または請求項２において、
前記第１のトランジスタ乃至前記第４のトランジスタはＮチャネル型トランジスタであり、前記第１の配線の電位は前記第２の配線の電位よりも高いことを特徴とする液晶表示装置。
【請求項４】
請求項１または請求項２において、
前記第１のトランジスタ乃至前記第４のトランジスタはＰチャネル型トランジスタであり、前記第１の配線の電位は前記第２の配線の電位よりも低いことを特徴とする液晶表示装置。
【請求項５】
請求項１乃至請求項３のいずれか一項において、
前記第１のトランジスタ乃至前記第４のトランジスタは、化合物半導体を用いたトランジスタであることを特徴とする液晶表示装置。
【請求項６】
請求項１乃至請求項３のいずれか一項において、
前記第１のトランジスタ乃至前記第４のトランジスタは、ＺｎＯ又はａ−ＩｎＧａＺｎＯを用いたトランジスタであることを特徴とする液晶表示装置。
【請求項７】
液晶素子を有する画素と、駆動回路とを有し、
前記駆動回路は、第１の容量素子と、第２の容量素子と、第１のトランジスタと、第２のトランジスタと、第３のトランジスタと、第４のトランジスタと、第５のトランジスタと、第６のトランジスタとを有し、
前記第１の容量素子の第１電極が第３の配線に電気的に接続され、
前記第２の容量素子の第１電極が第４の配線に電気的に接続され、
前記第１のトランジスタのゲートが前記第１の容量素子の第２電極に電気的に接続され、前記第１のトランジスタの第１端子が第２の配線に電気的に接続され、前記第１のトランジスタの第２端子が前記第２の容量素子の第２電極に電気的に接続され、
前記第２のトランジスタのゲートが前記第２の容量素子の第２電極に電気的に接続され、前記第２のトランジスタの第１端子が前記第２の配線に電気的に接続され、前記第２のトランジスタの第２端子が前記第１の容量素子の第２電極に電気的に接続され、
前記第３のトランジスタのゲートが前記第２の容量素子の第２電極に電気的に接続され、前記第３のトランジスタの第１端子が前記第２の配線に電気的に接続され、前記第３のトランジスタの第２端子が第５の配線に電気的に接続され、
前記第４のトランジスタのゲート及び第１端子が第１の配線に電気的に接続され、前記第４のトランジスタの第２端子が前記第５の配線に電気的に接続され、
前記第５のトランジスタのゲートが前記第１の容量素子の第２電極に電気的に接続され、前記第５のトランジスタの第１端子が前記第２の配線に電気的に接続され、前記第５のトランジスタの第２端子が第６の配線に電気的に接続され、
前記第６のトランジスタのゲート及び第１端子が前記第１の配線に電気的に接続され、前記第６のトランジスタの第２端子が前記第６の配線に電気的に接続されていることを特徴とする液晶表示装置。
【請求項８】
請求項７において、
前記第１のトランジスタ乃至前記第６のトランジスタは同じ導電型のトランジスタであることを特徴とする液晶表示装置。
【請求項９】
請求項７または請求項８において、
前記第１のトランジスタ乃至前記第６のトランジスタはＮチャネル型トランジスタであり、前記第１の配線の電位が前記第２の配線の電位よりも高いことを特徴とする液晶表示装置。
【請求項１０】
請求項７または請求項８において、
前記第１のトランジスタ乃至前記第６のトランジスタはＰチャネル型トランジスタであり、前記第１の配線の電位が前記第２の配線の電位よりも低いことを特徴とする液晶表示装置。
【請求項１１】
請求項７乃至請求項９のいずれか一項において、
前記第１のトランジスタ乃至前記第６のトランジスタは、化合物半導体を用いたトランジスタであることを特徴とする液晶表示装置。
【請求項１２】
請求項７乃至請求項９のいずれか一項において、
前記第１のトランジスタ乃至前記第６のトランジスタは、ＺｎＯ又はａ−ＩｎＧａＺｎＯを用いたトランジスタであることを特徴とする液晶表示装置。
【請求項１３】
液晶素子を有する画素と、駆動回路とを有し、
前記駆動回路は、第１の容量素子と、第２の容量素子と、第１のトランジスタと、第２のトランジスタと、第３のトランジスタと、第４のトランジスタと、第５のトランジスタと、第６のトランジスタとを有し、
前記第１の容量素子の第１電極が第３の配線に電気的に接続され、
前記第２の容量素子の第１電極が第４の配線に電気的に接続され、
前記第１のトランジスタのゲートが前記第１の容量素子の第２電極に電気的に接続され、前記第１のトランジスタの第１端子が第２の配線に電気的に接続され、前記第１のトランジスタの第２端子が前記第２の容量素子の第２電極に電気的に接続され、
前記第２のトランジスタのゲートが前記第２の容量素子の第２電極に電気的に接続され、前記第２のトランジスタの第１端子が前記第２の配線に電気的に接続され、前記第２のトランジスタの第２端子が前記第１の容量素子の第２電極に電気的に接続され、
前記第３のトランジスタのゲートが前記第２の容量素子の第２電極に電気的に接続され、前記第３のトランジスタの第１端子が前記第２の配線に電気的に接続され、
前記第４のトランジスタのゲート及び第１端子が第１の配線に電気的に接続され、前記第４のトランジスタの第２端子が前記第３のトランジスタの第２端子に電気的に接続され、
前記第５のトランジスタのゲートが前記第２の容量素子の第２電極に電気的に接続され、前記第５のトランジスタの第１端子が前記第２の配線に電気的に接続され、前記第５のトランジスタの第２端子が第５の配線に電気的に接続され、
前記第６のトランジスタのゲートが前記第３のトランジスタの第２端子及び前記第４のトランジスタの第２端子に電気的に接続され、前記第６のトランジスタの第１端子が前記第１の配線に電気的に接続され、前記第６のトランジスタの第２端子が前記第５の配線に電気的に接続されていることを特徴とする液晶表示装置。
【請求項１４】
請求項１３において、
前記第１のトランジスタ乃至前記第６のトランジスタは同じ導電型のトランジスタであることを特徴とする液晶表示装置。
【請求項１５】
請求項１３または請求項１４において、
前記第１のトランジスタ乃至前記第６のトランジスタはＮチャネル型トランジスタであり、前記第１の配線の電位が前記第２の配線の電位よりも高いことを特徴とする液晶表示装置。
【請求項１６】
請求項１３または請求項１４において、
前記第１のトランジスタ乃至前記第６のトランジスタはＰチャネル型トランジスタであり、前記第１の配線の電位が前記第２の配線の電位よりも低いことを特徴とする液晶表示装置。
【請求項１７】
請求項１３乃至請求項１５のいずれか一項において、
前記第１のトランジスタ乃至前記第６のトランジスタは、化合物半導体を用いたトランジスタであることを特徴とする液晶表示装置。
【請求項１８】
請求項１３乃至請求項１５のいずれか一項において、
前記第１のトランジスタ乃至前記第６のトランジスタは、ＺｎＯ又はａ−ＩｎＧａＺｎＯを用いたトランジスタであることを特徴とする液晶表示装置。
【請求項１９】
請求項１乃至請求項１８のいずれか一項に記載の液晶表示装置を具備する電子機器。